(57)【要約】【課題】高精度な信号のタイミング制御を必要とせずに、隣り合う第１発光素子と第２発光素子とを共に点灯させる第１動作モードと、第１発光素子と第２発光素子とを別々に点灯させる第２動作モードとを実現する。【解決手段】発光素子チップ５１は、順番にオン状態となる複数の転送サイリスタＴと、隣り合う発光サイリスタＬの組が各転送サイリスタＴに１組ずつ接続された複数の発光サイリスタＬと、偶数番目の発光サイリスタＬに電力を供給する点灯制御信号φＡ１を供給する第１点灯制御回路６１と、奇数番目の発光サイリスタＬに電力を供給する点灯制御信号φＡ２を供給する第２点灯制御回路６２とを備え、第１点灯制御回路６１と第２点灯制御回路６２は、低解像度モードでは共通の点灯制御信号φＡ１とφＡ２を供給し、高解像度モードでは互いに異なるタイミングで電力を供給する点灯制御信号φＡ１とφＡ２を供給する。【選択図】図４
2014012384.tif 000002
【特許請求の範囲】
【請求項１】
複数のスイッチと、
交互に並べて配置された第１発光素子と第２発光素子とを有し、隣り合う前記第１発光素子と前記第２発光素子の組が各々の前記スイッチに１組ずつ接続され、接続されている前記スイッチがオンになり、電力が供給されると、オン状態となり発光する複数の発光素子と、
前記電力を供給する第１点灯制御信号を前記第１発光素子に供給する第１点灯制御部と、
前記電力を供給する第２点灯制御信号を前記第２発光素子に供給する第２点灯制御部とを備え、
前記第１点灯制御部及び前記第２点灯制御部は、第１動作モードでは、共通の前記第１点灯制御信号及び前記第２点灯制御信号を供給し、第２動作モードでは、互いに異なるタイミングで前記電力を供給する前記第１点灯制御信号及び前記第２点灯制御信号を供給する
ことを特徴とする発光装置。
【請求項２】
画像データに応じて、点灯又は非点灯を指示する点灯信号と、点灯を許可又は禁止する第１点灯許可信号及び第２点灯許可信号とを生成し、当該生成した点灯信号を共通の信号線を介して前記第１点灯制御部及び前記第２点灯制御部に供給し、当該生成した第１点灯許可信号を前記第１点灯制御部に供給し、当該生成した第２点灯許可信号を前記第２点灯制御部に供給する信号供給部を備え、
前記第１点灯制御部は、前記点灯を指示する前記点灯信号と前記点灯を許可する前記第１点灯許可信号とが前記信号供給部から供給された場合には、前記電力を供給する前記第１点灯制御信号を供給し、
前記第２点灯制御部は、前記点灯を指示する前記点灯信号と前記点灯を許可する前記第２点灯許可信号とが前記信号供給部から供給された場合には、前記電力を供給する前記第２点灯制御信号を供給し、
前記信号供給部は、前記第１動作モードでは、共通の前記第１点灯許可信号及び前記第２点灯許可信号を生成し、前記第２動作モードでは、互いに異なるタイミングで前記点灯を許可する前記第１点灯許可信号及び前記第２点灯許可信号を生成する
ことを特徴とする請求項１に記載の発光装置。
【請求項３】
画像データに応じて、点灯又は非点灯を指示する第１点灯信号及び第２点灯信号と、点灯を許可又は禁止する点灯許可信号とを生成し、当該生成した第１点灯信号を前記第１点灯制御部に供給し、当該生成した第２点灯信号を前記第２点灯制御部に供給し、当該生成した点灯許可信号を共通の信号線を介して前記第１点灯制御部及び前記第２点灯制御部に供給する信号供給部を備え、
前記第１点灯制御部は、前記点灯を指示する前記第１点灯信号と前記点灯を許可する前記点灯許可信号とが前記信号供給部から供給された場合には、前記電力を供給する前記第１点灯制御信号を供給し、
前記第２点灯制御部は、前記点灯を指示する前記第２点灯信号と前記点灯を許可する前記点灯許可信号とが前記信号供給部から供給された場合には、前記電力を供給する前記第２点灯制御信号を供給し、
前記信号供給部は、前記第１動作モードでは、共通の前記第１点灯信号及び前記第２点灯信号を生成し、前記第２動作モードでは、互いに異なるタイミングで前記点灯を指示する前記第１点灯信号及び前記第２点灯信号を生成する
ことを特徴とする請求項１に記載の発光装置。
【請求項４】
前記信号供給部は、前記第１動作モードでは、前記画像データに応じて、前記複数のスイッチを順番に第１期間中オンにする駆動信号を生成し、当該生成した駆動信号を前記複数のスイッチに供給し、前記第２動作モードでは、前記複数のスイッチを順番に前記第１期間よりも長い第２期間中オンにする駆動信号を生成し、当該生成した駆動信号を前記複数のスイッチに供給し、前記第１期間又は第２期間内に２画素分の点灯又は非点灯を指示する前記点灯信号を供給し、
前記複数のスイッチは、前記信号供給部から供給された駆動信号に従って、順番にオン状態となる
ことを特徴とする請求項２又は３に記載の発光装置。
【請求項５】
順番にオン状態となる複数のスイッチと、
一列に並べて配置され、各々の前記スイッチに１個ずつ接続され、接続されている前記スイッチがオンになり、電力が供給されると、オン状態となり発光する複数の発光素子と、
第１動作モードでは、画像データに応じて、前記順番が前後の前記スイッチが移行期間中共にオン状態になるように前記複数のスイッチを順番にオン又はオフにする駆動信号と、前記移行期間内に１画素分の点灯又は非点灯に応じて前記電力を供給する点灯信号とを生成し、当該生成した駆動信号を前記複数のスイッチに供給し、当該生成した点灯信号を前記複数の発光素子に供給し、
第２動作モードでは、前記画像データに応じて、前記複数のスイッチがそれぞれ異なるタイミングで或る期間中オン状態となるように前記複数のスイッチをオン又はオフにする駆動信号と、前記或る期間内に１画素分の点灯又は非点灯に応じて前記電力を供給する点灯信号とを生成し、当該生成した駆動信号を前記複数のスイッチに供給し、当該生成した点灯信号を前記複数の発光素子に供給する信号供給部と
を備えることを特徴とする発光装置。
【請求項６】
前記第１発光素子と前記第２発光素子は、隣り合う２個の発光素子である
ことを特徴とする請求項１から５のいずれか１項に記載の発光装置。
【請求項７】
像保持体と、
前記像保持体の表面を帯電させる帯電部と、
請求項１から６のいずれか１項に記載の発光装置を有し、画像データに応じて前記帯電した像保持体を露光し、潜像を形成する露光部と、
前記潜像をトナーで現像し、画像を形成する現像部と、
前記画像を前記像保持体から記録媒体に転写する転写部と、
前記画像を前記記録媒体に定着させる定着部と
を備えることを特徴とする画像形成装置。
【請求項８】
前記第１動作モードは、第１解像度で前記画像を形成する動作モードであり、
前記第２動作モードは、第１解像度よりも高い第２解像度で前記画像を形成する動作モードである
ことを特徴とする請求項７に記載の画像形成装置。
【発明の詳細な説明】
【技術分野】
【０００１】
本発明は、発光装置及び画像形成装置に関する。
【背景技術】
【０００２】
電子写真方式の画像形成装置において、ＬＥＤ（Light Emitting Diode）アレイを用いて露光する技術が知られている。例えば、特許文献１には、発光部サイリスタにより構成された書込みヘッドにおいて、隣接する２個の発光部サイリスタを同時に点灯させるように駆動する技術が記載されている。
【先行技術文献】
【特許文献】
【０００３】
【特許文献１】特開２００２−１３７４４５号公報
【発明の概要】
【発明が解決しようとする課題】
【０００４】
本発明は、高精度な信号のタイミング制御を必要とせずに、隣り合う第１発光素子と第２発光素子とを共に点灯させる第１動作モードと、隣り合う第１発光素子と第２発光素子とを別々に点灯させる第２動作モードとを実現することを目的とする。
【課題を解決するための手段】
【０００５】
本発明の請求項１に係る発光装置は、複数のスイッチと、交互に並べて配置された第１発光素子と第２発光素子とを有し、隣り合う前記第１発光素子と前記第２発光素子の組が各々の前記スイッチに１組ずつ接続され、接続されている前記スイッチがオンになり、電力が供給されると、オン状態となり発光する複数の発光素子と、前記電力を供給する第１点灯制御信号を前記第１発光素子に供給する第１点灯制御部と、前記電力を供給する第２点灯制御信号を前記第２発光素子に供給する第２点灯制御部とを備え、前記第１点灯制御部及び前記第２点灯制御部は、第１動作モードでは、共通の前記第１点灯制御信号及び前記第２点灯制御信号を供給し、第２動作モードでは、互いに異なるタイミングで前記電力を供給する前記第１点灯制御信号及び前記第２点灯制御信号を供給することを特徴とする。
【０００６】
本発明の請求項２に係る発光装置は、請求項１に記載の発光装置において、画像データに応じて、点灯又は非点灯を指示する点灯信号と、点灯を許可又は禁止する第１点灯許可信号及び第２点灯許可信号とを生成し、当該生成した点灯信号を共通の信号線を介して前記第１点灯制御部及び前記第２点灯制御部に供給し、当該生成した第１点灯許可信号を前記第１点灯制御部に供給し、当該生成した第２点灯許可信号を前記第２点灯制御部に供給する信号供給部を備え、前記第１点灯制御部は、前記点灯を指示する前記点灯信号と前記点灯を許可する前記第１点灯許可信号とが前記信号供給部から供給された場合には、前記電力を供給する前記第１点灯制御信号を供給し、前記第２点灯制御部は、前記点灯を指示する前記点灯信号と前記点灯を許可する前記第２点灯許可信号とが前記信号供給部から供給された場合には、前記電力を供給する前記第２点灯制御信号を供給し、前記信号供給部は、前記第１動作モードでは、共通の前記第１点灯許可信号及び前記第２点灯許可信号を生成し、前記第２動作モードでは、互いに異なるタイミングで前記点灯を許可する前記第１点灯許可信号及び前記第２点灯許可信号を生成することを特徴とする。
【０００７】
本発明の請求項３に係る発光装置は、請求項１に記載の発光装置において、画像データに応じて、点灯又は非点灯を指示する第１点灯信号及び第２点灯信号と、点灯を許可又は禁止する点灯許可信号とを生成し、当該生成した第１点灯信号を前記第１点灯制御部に供給し、当該生成した第２点灯信号を前記第２点灯制御部に供給し、当該生成した点灯許可信号を共通の信号線を介して前記第１点灯制御部及び前記第２点灯制御部に供給する信号供給部を備え、前記第１点灯制御部は、前記点灯を指示する前記第１点灯信号と前記点灯を許可する前記点灯許可信号とが前記信号供給部から供給された場合には、前記電力を供給する前記第１点灯制御信号を供給し、前記第２点灯制御部は、前記点灯を指示する前記第２点灯信号と前記点灯を許可する前記点灯許可信号とが前記信号供給部から供給された場合には、前記電力を供給する前記第２点灯制御信号を供給し、前記信号供給部は、前記第１動作モードでは、共通の前記第１点灯信号及び前記第２点灯信号を生成し、前記第２動作モードでは、互いに異なるタイミングで前記点灯を指示する前記第１点灯信号及び前記第２点灯信号を生成することを特徴とする。
【０００８】
本発明の請求項４に係る発光装置は、請求項２又は３に記載の発光装置において、前記信号供給部は、前記第１動作モードでは、前記画像データに応じて、前記複数のスイッチを順番に第１期間中オンにする駆動信号を生成し、当該生成した駆動信号を前記複数のスイッチに供給し、前記第２動作モードでは、前記複数のスイッチを順番に前記第１期間よりも長い第２期間中オンにする駆動信号を生成し、当該生成した駆動信号を前記複数のスイッチに供給し、前記第１期間又は第２期間内に２画素分の点灯又は非点灯を指示する前記点灯信号を供給し、前記複数のスイッチは、前記信号供給部から供給された駆動信号に従って、順番にオン状態となることを特徴とする。
【０００９】
本発明の請求項５に係る発光装置は、順番にオン状態となる複数のスイッチと、一列に並べて配置され、各々の前記スイッチに１個ずつ接続され、接続されている前記スイッチがオンになり、電力が供給されると、オン状態となり発光する複数の発光素子と、第１動作モードでは、画像データに応じて、前記順番が前後の前記スイッチが移行期間中共にオン状態になるように前記複数のスイッチを順番にオン又はオフにする駆動信号と、前記移行期間内に１画素分の点灯又は非点灯に応じて前記電力を供給する点灯信号とを生成し、当該生成した駆動信号を前記複数のスイッチに供給し、当該生成した点灯信号を前記複数の発光素子に供給し、第２動作モードでは、前記画像データに応じて、前記複数のスイッチがそれぞれ異なるタイミングで或る期間中オン状態となるように前記複数のスイッチをオン又はオフにする駆動信号と、前記或る期間内に１画素分の点灯又は非点灯に応じて前記電力を供給する点灯信号とを生成し、当該生成した駆動信号を前記複数のスイッチに供給し、当該生成した点灯信号を前記複数の発光素子に供給する信号供給部とを備えることを特徴とする。
【００１０】
本発明の請求項６に係る発光装置は、請求項１から５のいずれか１項に記載の発光装置において、前記第１発光素子と前記第２発光素子は、隣り合う２個の発光素子であることを特徴とする。
【００１１】
本発明の請求項７に係る画像形成装置は、像保持体と、前記像保持体の表面を帯電させる帯電部と、請求項１から６のいずれか１項に記載の発光装置を有し、画像データに応じて前記帯電した像保持体を露光し、潜像を形成する露光部と、前記潜像をトナーで現像し、画像を形成する現像部と、前記画像を前記像保持体から記録媒体に転写する転写部と、前記画像を前記記録媒体に定着させる定着部とを備えることを特徴とする。
【００１２】
本発明の請求項８に係る画像形成装置は、請求項７に記載の画像形成装置において、前記第１動作モードは、第１解像度で前記画像を形成する動作モードであり、前記第２動作モードは、第１解像度よりも高い第２解像度で前記画像を形成する動作モードであることを特徴とする。
【発明の効果】
【００１３】
請求項１に係る発明によれば、高精度な信号のタイミング制御を必要とせずに、隣り合う第１発光素子と第２発光素子とを共に点灯させる第１動作モードと、隣り合う第１発光素子と第２発光素子とを別々に点灯させる第２動作モードとを実現することができる。
請求項２に係る発明によれば、複数の異なる点灯信号を用いる場合に比べて、発光装置を実装する基板の小型化を図ることができる。
請求項３に係る発明によれば、複数の異なる点灯許可信号を用いる場合に比べて、発光装置を実装する基板の小型化を図ることができる。
請求項４に係る発明によれば、第１期間又は第２期間中に２画素分の点灯制御を行うことができる。
請求項５に係る発明によれば、シンプルな回路構成で、隣り合う第１発光素子と第２発光素子とを共に点灯させる第１動作モードと、隣り合う第１発光素子と第２発光素子とを別々に点灯させる第２動作モードとを実現することができる。
請求項６に係る発明によれば、第１動作モードにおいて２個の発光素子を共に点灯させることができる。
請求項７に係る発明によれば、高精度な信号のタイミング制御を必要とせずに、隣り合う第１発光素子と第２発光素子とを共に点灯させる第１動作モードと、隣り合う第１発光素子と第２発光素子とを別々に点灯させる第２動作モードとを実現することができる。
請求項８に係る発明によれば、第２動作モードでは、第１動作モードよりも解像度の高い画像を形成することができる。
【図面の簡単な説明】
【００１４】
【図１】第１実施形態に係る画像形成装置の構成を示す図
【図２】露光装置の構成を示す図
【図３】プリント基板の構成を示す図
【図４】発光素子チップの回路構成を示す図
【図５】第１点灯制御回路の動作を示す状態遷移図
【図６】第２点灯制御回路の動作を示す状態遷移図
【図７】第１実施形態に係る低解像度モードでの発光素子チップの動作を示すタイミングチャート
【図８】第１実施形態に係る高解像度モードでの発光素子チップの動作を示すタイミングチャート
【図９】従来技術に係るプリント基板の構成を示す図
【図１０】第２実施形態に係るプリント基板の構成を示す図
【図１１】第２実施形態に係る発光素子チップ構成を示す図
【図１２】第２実施形態に係る低解像度モードでの発光素子チップの動作を示すタイミングチャート
【図１３】第２実施形態に係る高解像度モードでの発光素子チップの動作を示すタイミングチャート
【発明を実施するための形態】
【００１５】
１．第１実施形態
（１）構成
（画像形成装置１の構成）
図１は、第１実施形態に係る画像形成装置１の構成を示す図である。画像形成装置１は、制御部１１と、画像処理部１２と、画像形成部１３とを備えている。制御部１１は、例えばＣＰＵ（Central Processing Unit）とメモリとを備えており、画像形成部１３を制御する。画像処理部１２は、例えばＡＳＩＣ（Application Specific Integrated Circuit）を備えており、図示せぬクライアント装置又はスキャナ装置から入力された画像データに各種の画像処理を施す。なお、画像形成装置１は、図１に示す構成の他に、利用者が画像形成装置１を操作するときに用いられるＵＩ（User Interface）部を備えている。このＵＩ部は、例えば利用者の操作を受け付ける複数のボタンと、操作画像や各種のメッセージを表示するタッチパネルとを備えている。
【００１６】
画像形成部１３は、電子写真方式により画像データに応じた画像を形成する。画像形成部１３は、画像形成エンジン２１Ｙ、２１Ｍ、２１Ｃ、２１Ｋと、中間転写ベルト２２と、二次転写ローラ２３（転写部の一例）と、定着器２４（定着部の一例）とを備えている。画像形成エンジン２１Ｙ、２１Ｍ、２１Ｃ、２１Ｋは、それぞれ、イエロー（Ｙ）、マゼンタ（Ｍ）、シアン（Ｃ）、黒（Ｋ）のトナーを用いてトナー像を形成する。具体的には、画像形成エンジン２１Ｙ、２１Ｍ、２１Ｃ、２１Ｋは、それぞれ、感光体ドラム３１（像保持体の一例）と、帯電器３２（帯電部の一例）と、露光装置３３（露光部の一例）と、現像器３４（現像部の一例）と、一次転写ローラ３５とを備えている。感光体ドラム３１は、表面に感光層が形成されており、軸を中心に回転する。帯電器３２は、感光体ドラム３１の表面を決められた電位に帯電させる。露光装置３３は、帯電した感光体ドラム３１に画像データに応じた光を照射することにより、感光体ドラム３１の表面を露光し、静電潜像を形成する。現像器３４は、感光体ドラム３１上に形成された静電潜像をトナーで現像し、トナー像（画像の一例）を形成する。一次転写ローラ３５は、感光体ドラム３１上に形成されたトナー像を中間転写ベルト２２に転写する。
【００１７】
中間転写ベルト２２は、駆動ローラ２２ａとバックアップローラ２２ｂにより支持されており、駆動ローラ２２ａにより図中の矢印Ａ方向に回転駆動される。中間転写ベルト２２は、画像形成エンジン２１Ｙ、２１Ｍ、２１Ｃ、２１Ｋの感光体ドラム３１から転写されたトナー像を二次転写ローラ２３へと搬送する。二次転写ローラ２３は、中間転写ベルト２２上に形成されたトナー像を用紙等の記録媒体に転写する。トナー像が転写された記録媒体は、定着器２４へと搬送される。定着器２４は、加熱及び加圧によりトナー像を記録媒体に定着させる。トナー像が定着された記録媒体は、画像形成装置１から排出される。
【００１８】
画像形成装置１は、低解像度モードと高解像度モードとを備えている。低解像度モードとは、例えば６００ｄｐｉ（dots per inch）で画像を形成する動作モードである。高解像度モードとは、例えば１２００ｐｄｉで画像を形成する動作モードである。高解像度モードで画像を形成する場合には、低解像度モードに比べて、画像を形成する速度が遅くなる。本実施形態では、第１解像度の一例として６００ｄｐｉを用い、第１解像度より大きい第２解像度の一例として１２００ｐｄｉを用いている。画像形成装置１の動作モードは、例えば利用者の操作により選択されるようになっている。
【００１９】
（露光装置３３の構成）
図２は、露光装置３３の構成を示す図である。露光装置３３は、プリント基板４１上に実装された発光部４２と、レンズアレイ４３とを備えている。プリント基板４１とレンズアレイ４３とは、ハウジング４４により支持されている。発光部４２は、画像データに応じた光を照射する。発光部４２には、感光体ドラム３１の幅方向（主走査方向）に沿って、高解像度モードの解像度に対応する画素数分の発光素子が並べて配置されている。レンズアレイ４３は、発光部４２から照射された光を感光体ドラム３１上に結像させる。
【００２０】
（プリント基板４１の構成）
図３は、プリント基板４１の構成を示す図である。プリント基板４１には、発光部４２を構成する複数の発光素子チップ５１と信号供給回路５２とが実装されている。プリント基板４１には、例えば２０個の発光素子チップ５１が一列に並べて配置されている。信号供給回路５２には、ハーネス５３を介して、制御部１１から同期信号が入力される。また、信号供給回路５２には、ハーネス５３を介して、画像処理部１２から画像処理が施された画像データが入力される。
【００２１】
本実施形態では、信号供給回路５２は、入力された画像データ及び制御信号に応じた各種の信号を発光素子チップ５１に供給する信号供給部として用いられる。具体的には、信号供給回路５２は、入力された画像データ及び制御信号に応じて、クロック信号φ１及びφ２、点灯信号φＩ、イネーブル信号φＥ１及びＥ２を生成し、発光素子チップ５１に供給する。また、信号供給回路５２は、電源電圧Ｖｇａ（例えば−３．３Ｖ）及び基準電位（例えば０Ｖ）を発光素子チップ５１に供給する。
【００２２】
また、プリント基板４１には、信号供給回路５２と発光素子チップ５１とを接続する複数の電源線及び信号線が設けられている。なお、図３では、点灯信号φＩを供給する信号線５５だけを示しており、他の信号を供給する信号線及び電源線については図示を省略している。信号供給回路５２には、発光素子チップ５１と同じ数の信号線５５が接続されている。各信号線５５は、途中で２本に分岐され、各発光素子チップ５１に接続されている。これにより、信号供給回路５２から各発光素子チップ５１に共通する２個の点灯信号φＩが供給される。なお、以下の説明では、各発光素子チップ５１に供給される一方の点灯信号φＩを「点灯信号φＩ１」と表記し、他方の点灯信号φＩを「点灯信号φＩ２」と表記する。
【００２３】
（発光素子チップ５１の構成）
図４は、発光素子チップ５１の回路構成を示す図である。発光素子チップ５１は、自己走査型発光素子アレイである。発光素子チップ５１は、Ｎ個の転送サイリスタＴ１、Ｔ２、Ｔ３・・・（以下、総称して「転送サイリスタＴ」という）と、２Ｎ個の発光サイリスタＬ１、Ｌ２、Ｌ３・・・（以下、総称して「発光サイリスタＬ」という）と、第１点灯制御回路６１と、第２点灯制御回路６２とを備えている。発光サイリスタＬは、主走査方向に沿って一列に並べて配置されている。以下の説明では、図４において左側からｉ番目の転送サイリスタを「転送サイリスタＴi」と表記し、図４において左側からｉ番目の発光サイリスタを「発光サイリスタＬi」と表記する。なお、図３では、各発光素子チップ５１の両端に信号線５５が接続されているが、図４では、説明の便宜上、図中の左端に、信号線５５が接続される信号端子７４及び７６を記載している。
【００２４】
転送サイリスタＴは、アノード電極、カソード電極及びゲート電極を有するサイリスタである。本実施形態では、転送サイリスタＴは、順番にオン状態となり、対応する２個の発光サイリスタＬを点灯可能な状態にするスイッチとして用いられる。転送サイリスタＴのゲート電極は、抵抗器Ｒを介して電源線６３に接続されている。電源線６３は、電源端子７１に接続されている。この電源端子７１には、信号供給回路５２から電源電圧Ｖｇａが供給される。また、転送サイリスタＴのゲート電極は、抵抗器Ｒを介して、隣り合う２個の発光サイリスタＬのゲート電極に接続されている。つまり、各々の転送サイリスタＴには、隣り合う発光サイリスタＬの組が１組ずつ接続されている。
【００２５】
また、転送サイリスタＴiのゲート電極は、ダイオードＤiを介して隣接する転送サイリスタＴｉ＋１のゲート電極に接続されている。ダイオードＤiの向きは、転送サイリスタＴiのゲート電極から転送サイリスタＴｉ＋１に向かって電流が流れる方向に接続されている。また、転送サイリスタＴ１のゲート電極は、ダイオードＤｓのカソード電極に接続されている。ダイオードＤｓのアノード電極は、信号線６５に接続されている。
【００２６】
奇数番目の転送サイリスタＴ２ｉ−１のカソード電極は、信号線６４が接続されている。信号線６４は、抵抗器Ｒを介して信号端子７２に接続されている。この信号端子７２には、信号供給回路５２からクロック信号φ１が供給される。偶数番目の転送サイリスタＴ２ｉのカソード電極は、信号線６５が接続されている。信号線６５は、抵抗器Ｒを介して信号端子７３に接続されている。この信号端子７３には、信号供給回路５２からクロック信号φ２が供給される。転送サイリスタＴのアノード電極は、図示せぬ裏面電極に接続されている。この裏面電極には、信号供給回路５２から基準電位が供給される。
【００２７】
本実施形態では、クロック信号φ１及びφ２は、転送サイリスタＴをオン又はオフにする駆動信号として用いられる。転送サイリスタＴは、クロック信号φ１及びφ２のレベルが反転する度に、図４における左側から順番にオン状態となる。なお、クロック信号φ１及びφ２を用いて転送サイリスタＴを順番にオン状態にする技術は、例えば特開２０１０−１１５８１０号公報にも開示されているように周知技術であるため、詳細な説明は省略する。
【００２８】
発光サイリスタＬは、アノード電極、カソード電極及びゲート電極を有するサイリスタである。本実施形態では、発光サイリスタＬは、発光素子として用いられる。奇数番目の発光サイリスタＬ２ｉ−１のカソード電極は、信号線６６に接続されている。偶数番目の発光サイリスタＬ２ｉのカソード電極は、信号線６７に接続されている。本実施形態では、奇数番目の発光サイリスタＬ２ｉ−１と偶数番目の発光サイリスタＬ２ｉとは、交互に並べて配置された第１発光素子と第２発光素子として用いられる。発光サイリスタＬのアノード電極は、図示せぬ裏面電極に接続されている。この裏面電極には、信号供給回路５２から基準電位が供給される。
【００２９】
第１点灯制御回路６１は、例えばサイリスタにより構成される。本実施形態では、第１点灯制御回路６１は、奇数番目の発光サイリスタＬ２ｉ−１の点灯を制御する第１点灯制御部として用いられる。第１点灯制御回路６１は、信号線６６に接続されている。また、第１点灯制御回路６１は、抵抗器Ｒを介して信号端子７４及び７５に接続されている。信号端子７４には、信号供給回路５２から点灯信号φＩ１が供給される。信号端子７５には、信号供給回路５２からイネーブル信号φＥ１が供給される。第１点灯制御回路６１は、点灯信号φＩ１及びイネーブル信号φＥ１が入力されると、入力された点灯信号φＩ１及びイネーブル信号φＥ１に応じて点灯制御信号φＡ１を出力する。
【００３０】
図５は、第１点灯制御回路６１の動作を示す状態遷移図である。第１点灯制御回路６１は、点灯信号φＩ１及びイネーブル信号φＥ１の少なくとも一方がＨレベルの場合、Ｈレベルの点灯制御信号φＡ１を出力する。一方、第１点灯制御回路６１は、点灯信号φＩ１及びイネーブル信号φＥ１がいずれもＬレベルの場合、Ｌレベルの点灯制御信号φＡ１を出力する。点灯制御信号φＡ１は、Ｈレベルの場合には基準電位（例えば０Ｖ）を有し、Ｌレベルの場合には基準電位よりも低い電位（例えば−３．３Ｖ）を有する。
【００３１】
第２点灯制御回路６２は、例えばサイリスタにより構成される。本実施形態では、第２点灯制御回路６２は、偶数番目の発光サイリスタＬ２ｉの点灯を制御する第２点灯制御部として用いられる。第２点灯制御回路６２は、信号線６７に接続されている。また、第２点灯制御回路６２は、抵抗器Ｒを介して信号端子７６及び７７に接続されている。信号端子７６には、信号供給回路５２から点灯信号φＩ２が供給される。信号端子７７には、信号供給回路５２からイネーブル信号φＥ２が供給される。第２点灯制御回路６２は、点灯信号φＩ２及び第２イネーブル信号φＥ２が入力されると、入力された点灯信号φＩ２及び第２イネーブル信号φＥ２に応じて点灯制御信号φＡ２を出力する。
【００３２】
図６は、第２点灯制御回路６２の動作を示す状態遷移図である。点灯信号φＩ２及びイネーブル信号φＥ２の少なくとも一方がＨレベルの場合、第２点灯制御回路６２は、Ｈレベルの点灯制御信号φＡ２を出力する。一方、点灯信号φＩ２及びイネーブル信号φＥ２がいずれもＬレベルの場合、第１点灯制御回路６１は、Ｌレベルの点灯制御信号φＡ２を出力する。点灯制御信号φＡ２は、Ｈレベルの場合には基準電位（例えば０Ｖ）を有し、Ｌレベルの場合には基準電位よりも低い電位（例えば−３．３Ｖ）を有する。
【００３３】
本実施形態では、点灯信号φＩは、発光サイリスタＬの点灯を指示する信号として用いられる。点灯信号φＩは、発光サイリスタＬの非点灯を指示する場合にはＨレベルとなり、発光サイリスタＬの点灯を指示する場合にはＬレベルとなる。イネーブル信号φＥ１及びφＥ２は、発光サイリスタＬの点灯を許可又は禁止する第１点灯許可信号及び第２点灯許可信号として用いられる。イネーブル信号φＥ１及びφＥ２は、発光サイリスタＬの点灯を禁止する場合にはＨレベルとなり、発光サイリスタＬの点灯を許可する場合にはＬレベルとなる。点灯制御信号φＡ１及びφＡ２は、Ｌレベルの場合、発光サイリスタＬに点灯のための電力（電流）を供給する。
【００３４】
（２）動作
（発光素子チップ５１の駆動動作）
発光素子チップ５１は、図３において左側から順番に駆動される。このとき、信号供給回路５２は、駆動対象となる発光素子チップ５１には、必要に応じてＨレベルとＬレベルとの間を変化するイネーブル信号φＥ１及びφＥ２を供給する。一方、信号供給回路５２は、駆動対象以外の発光素子チップ５１には、Ｈレベルのイネーブル信号φＥ１及びφＥ２を供給する。イネーブル信号φＥ１及びφＥ２がＨレベルである場合、第１点灯制御回路６１及び第２点灯制御回路６２から出力される点灯制御信号φＡ１及びφＡ２は、いずれもＨレベルとなる。点灯制御信号φＡ１及びφＡ２がＨレベルである場合、発光サイリスタＬのアノード電極の電位とカソード電極の電位はいずれも基準電位（例えば０Ｖ）となり、電位差が生じないため、オンにならない。このようにして、駆動対象以外の発光素子チップ５１において、発光サイリスタＬｉがオン状態に移行することが禁止される。以下、駆動対象の発光素子チップの動作について詳細に説明する。
【００３５】
（低解像度モードの動作）
図７は、第１実施形態に係る低解像度モードでの発光素子チップ５１の動作を示すタイミングチャートである。図７では、転送サイリスタＴｉ−１がオン状態である時点からのタイミングチャートが示されている。低解像度モードでは、信号供給回路５２は、転送サイリスタＴを順番に期間Ｃ１中オンにするクロック信号φ１及びφ２を生成し、転送サイリスタＴに供給する。また、信号供給回路５２は、この期間Ｃ１内に２画素分の点灯又は非点灯を指示する点灯信号φＩを発光サイリスタＬに供給する。また、信号供給回路５２は、この期間Ｃ１内に点灯を許可する共通のイネーブル信号φＥ１及びφＥ２を生成し、第１点灯制御回路６１及び第２点灯制御回路６２に供給する。
【００３６】
時刻ｔ１の前では、イネーブル信号φＥ１及びφＥ２、点灯信号φＩ１及びφＩ２がいずれもＨレベルであるため、第１点灯制御回路６１及び第２点灯制御回路６２から出力される点灯制御信号φＡ１及びφＡ２はいずれもＨレベルとなる。この場合、発光サイリスタＬのアノード電極の電位とカソード電極の電位はいずれも基準電位（例えば０Ｖ）となり、電位差が生じないため、発光サイリスタＬはオフ状態になっている。
【００３７】
時刻ｔ１において、クロック信号φ２がＨレベルからＬレベルになると、転送サイリスタＴｉがオンになる。転送サイリスタＴｉがオンになると、この転送サイリスタＴｉに接続されている発光サイリスタＬｉ及びＬｉ＋１のゲート電圧の絶対値が小さくなる。時刻ｔ２において、クロック信号φ１がＬレベルからＨレベルになると、転送サイリスタＴｉ−１がオフになる。
【００３８】
また、時刻ｔ２において、イネーブル信号φＥ１及びφＥ２がＨレベルからＬレベルになった後、時刻ｔ３において、点灯信号φＩ１及びφＩ２がＨレベルからＬレベルになると、第１点灯制御回路６１及び第２点灯制御回路６２から出力される第１点灯制御信号φＡ１及びφＡ２はいずれもＬレベルとなる。第１点灯制御信号φＡ１がＬレベルになると、発光サイリスタＬｉのカソード電極の電位が低くなり、アノード電極とカソード電極との間にゲート電圧（絶対値）を超える電位差が生じるため、発光サイリスタＬｉがオンになり、アノード電極とカソード電極との間に電流が流れる。これにより、発光サイリスタＬｉが発光する。同様に、第２点灯制御信号φＡ２がＬレベルになると、発光サイリスタＬｉ＋１のアノード電極とカソード電極との間にゲート電圧（絶対値）を超える電位差が生じるため、発光サイリスタＬｉ＋１がオンになり発光する。時刻ｔ３〜ｔ４の期間、発光サイリスタＬｉ及びＬｉ＋１は共に点灯する。
【００３９】
時刻ｔ４において、点灯信号φＩ１及びφＩ２がＨレベルになると、第１点灯制御回路６１及び第２点灯制御回路６２から出力される第１点灯制御信号φＡ１及びφＡ２はいずれもＨレベルになる。第１点灯制御信号φＡ１がＨレベルになると、発光サイリスタＬｉのアノード電極とカソード電極との間の電位差がなくなるため、発光サイリスタＬｉはオフになり発光を止める。同様に、第２点灯制御信号φＡ２がＨレベルになると、発光サイリスタＬｉ＋１のアノード電極とカソード電極との間の電位差がなくなるため、発光サイリスタＬｉ＋１はオフになり発光を止める。時刻ｔ５において、イネーブル信号φＥ１及びφＥ２がＨレベルになる。また、時刻ｔ５において、クロック信号φ１がＨレベルからＬレベルになると、転送サイリスタＴｉ＋１がオンになる。時刻ｔ６において、クロック信号φ２がＬレベルからＨレベルになると、転送サイリスタＴｉがオフになる。
【００４０】
このように、低解像度モードでは、図４において左側から順番に隣り合う発光サイリスタＬが２個ずつ点灯制御される。
【００４１】
（高解像度モードの動作）
図８は、高解像度モードでの発光素子チップ５１の動作を示すタイミングチャートである。図８では、転送サイリスタＴｉ−１がオン状態である時点からのタイミングチャートが示されている。高解像度モードでは、信号供給回路５２は、転送サイリスタＴを順番に期間Ｃ２中オンにするクロック信号φ１及びφ２を生成し、転送サイリスタＴに供給する。この期間Ｃ２は、上述した期間Ｃ１よりも長い期間である。また、信号供給回路５２は、この期間Ｃ２内に２画素分の点灯又は非点灯を指示する点灯信号φＩ１及びφＩ２を供給する。また、信号供給回路５２は、この期間Ｃ２内に互いに異なるタイミングで点灯を許可するイネーブル信号φＥ１及びφＥ２を生成し、第１点灯制御回路６１及び第２点灯制御回路６２に供給する。
【００４２】
時刻ｔ１１の前では、イネーブル信号φＥ１及びφＥ２、点灯信号φＩ１及びφＩ２がいずれもＨレベルであるため、第１点灯制御回路６１及び第２点灯制御回路６２から出力される点灯制御信号φＡ１及びφＡ２はいずれもＨレベルとなる。この場合、上述したように発光サイリスタＬのアノード電極とカソード電極との間に電位差が生じないため、発光サイリスタＬはオフ状態になっている。
【００４３】
時刻ｔ１１において、クロック信号φ２がＨレベルからＬレベルになると、転送サイリスタＴｉがオンになる。転送サイリスタＴｉがオンになると、転送サイリスタＴｉに接続されている発光サイリスタＬｉ及びＬｉ＋１のゲート電圧の絶対値が小さくなる。時刻ｔ１２において、クロック信号φ１がＬレベルからＨレベルになると、転送サイリスタＴｉ−１がオフになる。
【００４４】
また、時刻ｔ１２において、イネーブル信号φＥ１がＨレベルからＬレベルになった後、時刻ｔ１３において、点灯信号φＩ１及びφＩ２がＨレベルからＬレベルになると、第１点灯制御回路６１から出力される第１点灯制御信号φＡ１はＬレベルとなる。第１点灯制御信号φＡ１がＬレベルになると、上述したように発光サイリスタＬｉのアノード電極とカソード電極との間にゲート電圧（絶対値）を超える電位差が生じるため、発光サイリスタＬｉがオンになり発光する。時刻ｔ１３〜ｔ１４の期間、発光サイリスタＬｉは単独で点灯する。なお、時刻ｔ１２では、点灯信号φＩ２がＬレベルになっているものの、イネーブル信号φＥ２はＨレベルのまま変わらないため、第２点灯制御回路６２から出力される点灯制御信号φＡ２はＨレベルとなる。したがって、発光サイリスタＬｉ＋１はオフ状態を維持する。
【００４５】
時刻ｔ１４において、点灯信号φＩ１及びφＩ２がＨレベルになると、第１点灯制御回路６１から出力される第１点灯制御信号φＡ１はＨレベルになる。第１点灯制御信号φＡ１がＨレベルになると、上述したように発光サイリスタＬｉのアノード電極とカソード電極との間の電位差がなくなるため、発光サイリスタＬｉはオフになり発光を止める。時刻ｔ１５において、イネーブル信号φＥ１がＨレベルになる。
【００４６】
また、時刻ｔ１５において、イネーブル信号φＥ２がＨレベルからＬレベルになった後、時刻ｔ１６において点灯信号φＩ１及びφＩ２がＬレベルになると、第２点灯制御回路６２から出力される第２点灯制御信号φＡ２はＬレベルとなる。第２点灯制御信号φＡ２がＬレベルになると、上述したように発光サイリスタＬｉ＋１のアノード電極とカソード電極との間にゲート電圧（絶対値）を超える電位差が生じるため、発光サイリスタＬｉ＋１がオン状態となり発光する。時刻ｔ１６〜ｔ１７の期間、発光サイリスタＬｉ＋１は単独で点灯する。なお、時刻ｔ１６では、点灯信号φＩ１がＬレベルになっているものの、イネーブル信号φＥ１はＨレベルのまま変わらないため、第１点灯制御回路６１から出力される点灯制御信号φＡ１はＨレベルとなる。よって、発光サイリスタＬｉはオフ状態を維持する。
【００４７】
時刻ｔ１７において、点灯信号φＩ１及びφＩ２がＨレベルになると、第２点灯制御回路６２から出力される第２点灯制御信号φＡ２はＨレベルになる。第２点灯制御信号φＡ２がＨレベルになると、上述したようにアノード電極とカソード電極との間の電位差がなくなるため、発光サイリスタＬｉ＋１はオフになり発光を止める。時刻ｔ１８において、イネーブル信号φＥ２がＨレベルになる。また、時刻ｔ１８において、クロック信号φ１がＨレベルからＬレベルになると、転送サイリスタＴｉ＋１がオンになる。時刻ｔ１９において、クロック信号φ２がＬレベルからＨレベルになると、転送サイリスタＴｉがオフになる。
【００４８】
このように、高解像度モードでは、図４において左側から順番に発光サイリスタＬが１個ずつ点灯制御される。
【００４９】
ところで、従来技術では、発光素子を１個ずつ点灯させる動作モードと２個ずつ点灯させる動作モードとを実現するには、異なる２個の点灯信号を用いる必要があった。図９は、従来技術に係るプリント基板１４１の構成を示す図である。なお、図９では、図３と同様に、点灯信号を供給する信号線５５だけを示している。図９に示すように、信号供給回路１５２と各発光素子チップ１５１とは、信号供給回路１５２から各発光素子チップ１５１に異なる２個の点灯信号を供給するために、信号線５５が２本ずつ接続されている。この場合、信号供給回路１５２には、発光素子チップ１５１の２倍の数の信号線５５が接続されることになるため、プリント基板１４１の配線の数が多くなる。その結果、プリント基板１４１が大きくなる。また、信号線５５の数が増える分、ハーネス１５３の幅も大きくなる。これに対し、第１実施形態では、共通する点灯信号φＩ１及びφＩ２を用いているため、図３に示すように、信号供給回路５２には、発光素子チップ５１と同じ数の信号線５５が接続されればよい。これにより、プリント基板４１の配線数が少なくなり、プリント基板４１の小型化が図られる。また、信号線５５の数が少ない分、ハーネス５３の幅も小さくなる。
【００５０】
第１実施形態では、発光素子チップ５１又は発光部４２が発光装置として用いられる。第１実施形態によれば、イネーブル信号φＥ１及びφＥ２を制御することにより、隣り合う複数の発光サイリスタＬを共に点灯させる低解像度モードと、隣り合う発光サイリスタＬを別々に点灯させる高解像度モードとが両方とも実現される。このとき、イネーブル信号φＥ１及びφＥ２のタイミング制御は、従来技術に比べて高精度で行わなくてもよい。このように、第１実施形態によれば、高精度な信号のタイミング制御を必要とせずに、低解像度モードと高解像度モードとが実現される。
【００５１】
また、第１実施形態によれば、低解像度モードでは、図７に示す期間Ｃ１において隣り合う２個の発光サイリスタＬが共に点灯される。これにより、低解像度モードで画像を形成する場合には、高解像度モードに比べて画像の形成速度が速くなる。他方、高解像度モードでは、図８に示す期間Ｃ２において隣り合う発光サイリスタＬが別々に点灯される。これにより、高解像度モードで画像を形成する場合には、低解像度モードよりも高い解像度で画像が形成される。
【００５２】
２．第２実施形態
第２実施形態は、プリント基板４１Ａの構成、発光素子チップの回路構成及び動作が第１実施形態とは異なる。なお、画像形成装置１の構成及び露光装置３３の構成については、第１実施形態と同様であるため、説明を省略する。
【００５３】
（１）構成
（プリント基板４１Ａの構成）
図１０は、第２実施形態に係るプリント基板４１Ａの構成を示す図である。プリント基板４１Ａには、第１実施形態に係るプリント基板４１と同様に、発光部４２Ａを構成する複数の発光素子チップ５１Ａと信号供給回路５２Ａとが実装されている。信号供給回路５２Ａには、ハーネス５３を介して、制御部１１及び画像処理部１２からそれぞれ同期信号及び画像データが入力される。信号供給回路５２Ａは、入力された画像データ及び制御信号に応じて、クロック信号φ１、クロック信号φ２、点灯信号φＩを生成し、発光素子チップ５１Ａに供給する。なお、プリント基板４１Ａには、第１実施形態に係るプリント基板４１と同様に、信号供給回路５２Ａと発光素子チップ５１Ａとを接続する複数の電源線及び信号線が設けられているが、図１０では、点灯信号φＩを供給する信号線５５だけを示している。図１０に示すように、信号供給回路５２Ａと各発光素子チップ５１Ａとは、信号線５５が１本ずつ接続されている。
【００５４】
（発光素子チップ５１Ａの構成）
図１１は、第２実施形態に係る発光素子チップ５１Ａの構成を示す図である。発光素子チップ５１Ａは、Ｎ個の転送サイリスタＴと、Ｎ個の発光サイリスタＬとを備えている。なお、図１０では、発光素子チップ５１Ａの右端に信号線５５が接続されているが、図１１では、説明の便宜上、図中の左端に、信号線５５が接続される信号端子７８を記載している。
【００５５】
転送サイリスタＴ及び発光サイリスタＬの構成は、基本的には第１実施形態で説明した構成と同様である。ただし、第２実施形態では、転送サイリスタＴは、対応する１個の発光サイリスタＬを点灯させるスイッチとして用いられる。転送サイリスタＴのゲート電極は、抵抗器Ｒを介して１個の発光サイリスタＬのゲート電極に接続されている。つまり、各々の転送サイリスタＴには、発光サイリスタＬが１個ずつ接続されている。また、発光サイリスタＬのカソード電極は、いずれも信号線６８に接続されている。信号線６８は、抵抗器Ｒを介して信号端子７８に接続されている。この信号端子７８には、信号供給回路５２Ａから点灯信号φＩが供給される。本実施形態では、点灯信号φＩは、Ｌレベルの場合、発光サイリスタＬに点灯のための電力（電流）を供給する。点灯信号φＩは、Ｈレベルの場合には基準電位（例えば０Ｖ）を有し、Ｌレベルの場合には基準電位よりも低い電位（例えば−３．３Ｖ）を有する。
【００５６】
（２）動作
（低解像度モードの動作）
図１２は、第２実施形態に係る低解像度モードでの発光素子チップ５１Ａの動作を示すタイミングチャートである。図１２では、転送サイリスタＴｉ−１がオン状態である時点からのタイミングチャートが示されている。低解像度モードでは、信号供給回路５２Ａは、前後の転送サイリスタが共に移行期間Ｆ中オン状態となるように転送サイリスタＴを順番にオンにするクロック信号φ１及びφ２を生成し、転送サイリスタＴに供給する。また、信号供給回路５２Ａは、この移行期間Ｆ内に、１画素分の点灯信号φＩ１を供給する。
【００５７】
時刻ｔ２１の前では、点灯信号φＩ１がＨレベルとなっている。この場合、発光サイリスタＬのアノード電極の電位とカソード電極の電位はいずれも基準電位（例えば０Ｖ）となり、電位差が生じないため、発光サイリスタＬはオフ状態になっている。時刻ｔ２１において、クロック信号φ２がＨレベルからＬレベルになると、転送サイリスタＴｉがオンになる。転送サイリスタＴｉがオンになると、転送サイリスタＴｉに接続されている発光サイリスタＬｉのゲート電圧の絶対値が小さくなる。時刻ｔ２２において、クロック信号φ１がＬレベルからＨレベルになると、転送サイリスタＴｉ−１がオフになる。
【００５８】
時刻ｔ２３において、クロック信号φ１がＨレベルからＬレベルになると、転送サイリスタＴｉ＋１がオンになる。転送サイリスタＴｉ＋１がオンになると、転送サイリスタＴｉ＋１に接続されている発光サイリスタＬｉ＋１のゲート電圧の絶対値が小さくなる。時刻ｔ２３〜ｔ２５までの移行期間Ｆ中、転送サイリスタＴｉ及びＴｉ＋１はいずれもオン状態となる。なお、時刻ｔ２２〜ｔ２３の期間は、転送サイリスタＴｉに続いて転送サイリスタＴｉ＋１をオンにするためだけの期間であるため、短い時間であることが好ましい。
【００５９】
時刻ｔ２４において、点灯信号φＩがＬレベルになると、発光サイリスタＬｉ及びＬｉ＋１のアノード電極とカソード電極との間にゲート電圧（絶対値）を超える電位差が生じる。これにより、発光サイリスタＬｉ及びＬｉ＋１がオンになり発光する。時刻ｔ２４〜ｔ２５までの期間、発光サイリスタＬｉ及びＬｉ＋１は共に点灯する。時刻ｔ２５において、クロック信号φ２がＬレベルからＨレベルになると、転送サイリスタＴｉがオフになる。転送サイリスタＴｉがオフになると、発光サイリスタＬｉのゲート電圧の絶対値が大きくなり、アノード電極とカソード電極との間の電位差がゲート電圧を下回るため、発光サイリスタＬｉはオフになり発光を止める。時刻ｔ２６において、点灯信号φＩがＨレベルになると、発光サイリスタＬｉ＋１のアノード電極とカソード電極との間の電位差がなくなるため、発光サイリスタＬｉ＋１はオフになり発光を止める。
【００６０】
時刻ｔ２７において、クロック信号φ２がＨレベルからＬレベルになると、転送サイリスタＴｉ＋２がオンになる。転送サイリスタＴｉ＋２がオンになると、転送サイリスタＴｉ＋２に接続されている発光サイリスタＬｉ＋２のゲート電圧の絶対値が小さくなる。時刻ｔ２８において、クロック信号φ１がＬレベルからＨレベルになると、転送サイリスタＴｉ＋１がオフになる。時刻ｔ２９において、クロック信号φ１がＨレベルからＬレベルになると、転送サイリスタＴｉ＋３がオンになる。転送サイリスタＴｉ＋３がオンになると、転送サイリスタＴｉ＋３に接続されている発光サイリスタＬｉ＋３のゲート電圧の絶対値が小さくなる。時刻ｔ２９〜ｔ３１までの移行期間Ｆの間、転送サイリスタＴｉ＋２及びＴｉ＋３はいずれもオン状態となる。
【００６１】
時刻ｔ３０において、点灯信号φＩがＬレベルになると、発光サイリスタＬｉ＋２及びＬｉ＋３のアノード電極とカソード電極との間にゲート電圧（絶対値）を超える電位差が生じる。これにより、発光サイリスタＬｉ＋２及びＬｉ＋３がオンになり発光する。時刻ｔ３１において、クロック信号φ２がＬレベルからＨレベルになると、転送サイリスタＬｉ＋２がオフになる。転送サイリスタＬｉ＋２がオフになると、発光サイリスタＬｉ＋２はゲート電圧の絶対値が大きくなり、アノード電極とカソード電極との間の電位差がゲート電圧を下回るため、発光サイリスタＬｉ＋２はオフになり発光を止める。
【００６２】
このように、低解像度モードでは、図１１において左側から順番に隣り合う発光サイリスタＬが２個ずつ点灯制御される。
【００６３】
（高解像度モードの動作）
図１３は、第２実施形態に係る高解像度モードでの発光素子チップ５１Ａの動作を示すタイミングチャートである。図１３では、転送サイリスタＴｉ−１がオン状態である時点からのタイミングチャートを示す。高解像度モードでは、信号供給回路５２Ａは、転送サイリスタＴがそれぞれ異なるタイミングで期間Ｃ４中オン状態となるように、転送サイリスタＴを順番にオンにするクロック信号φ１及びφ２を生成し、転送サイリスタＴに供給する。また、信号供給回路５２Ａは、この期間Ｃ４内に、１画素分の点灯信号φＩを供給する。
【００６４】
時刻ｔ４１の前では、点灯信号φＩ１がＨレベルとなっている。この場合、上述したように発光サイリスタＬのアノード電極とカソード電極との間に電位差が生じないため、発光サイリスタＬｉはオフ状態になっている。時刻ｔ４１において、クロック信号φ２がＨレベルからＬレベルになると、転送サイリスタＴｉがオンになる。転送サイリスタＴｉがオンになると、転送サイリスタＴｉに接続されている発光サイリスタＬｉのゲート電圧の絶対値が小さくなる。時刻ｔ４２において、クロック信号φ１がＬレベルからＨレベルになると、転送サイリスタＴｉ−１がオフになる。
【００６５】
時刻ｔ４３において、点灯信号φＩがＬレベルになると、発光サイリスタＬｉのアノード電極とカソード電極との間にゲート電圧（絶対値）を超える電位差が生じるため、発光サイリスタＬｉがオンになり点灯する。時刻ｔ４３〜ｔ４４の期間、発光サイリスタＬｉは単独で点灯する。時刻ｔ４４において、点灯信号φＩがＨレベルになると、上述したように発光サイリスタＬｉのアノード電極とカソード電極との間の電位差がなくなるため、発光サイリスタＬｉはオフになり発光を止める。
【００６６】
また、時刻ｔ４４において、クロック信号φ１がＨレベルからＬレベルになると、転送サイリスタＴｉ＋１がオンになる。転送サイリスタＴｉ＋１がオンになると、転送サイリスタＴｉ＋１に接続されている発光サイリスタＬｉ＋１のゲート電圧の絶対値が小さくなる。時刻ｔ４５において、クロック信号φ２がＬレベルからＨレベルになると、転送サイリスタＴｉがオフになる。時刻ｔ４５〜ｔ４８の期間Ｃ４においては、点灯信号φＩがＨレベルであるため、発光サイリスタＬｉ＋１はオンにならず点灯しない。
【００６７】
時刻ｔ４７において、クロック信号φ２がＨレベルからＬレベルになると、転送サイリスタＴｉ＋２がオンになる。転送サイリスタＴｉ＋２がオンになると、転送サイリスタＴｉ＋２に接続されている発光サイリスタＬｉ＋２のゲート電圧の絶対値が小さくなる。時刻ｔ４８において、クロック信号φ１がＬレベルからＨレベルになると、転送サイリスタＴｉ＋１がオフになる。時刻ｔ４９において、点灯信号φＩがＬレベルになると、発光サイリスタＬｉ＋２のアノード電極とカソード電極との間にゲート電圧（絶対値）を超える電位差が生じるため、発光サイリスタＬｉ＋２がオンになり発光する。時刻ｔ４９〜ｔ５０の期間、発光サイリスタＬｉ＋２は単独で点灯する。
【００６８】
時刻ｔ５０において、点灯信号φＩがＨレベルになると、上述したように発光サイリスタＬｉ＋２のアノード電極とカソード電極との間の電位差がなくなるため、発光サイリスタＬｉ＋２はオフになり発光を止める。また、時刻ｔ５０において、クロック信号φ１がＨレベルからＬレベルになると、転送サイリスタＴｉ＋３がオンになる。時刻ｔ４５において、クロック信号φ２がＬレベルからＨレベルになると、転送サイリスタＴｉ＋２がオフになる。
【００６９】
このように、高解像度モードでは、図１１において左側から順番に発光サイリスタＬが１個ずつ点灯制御される。
【００７０】
第２実施形態では、発光素子チップ５１Ａ又は発光部４２Ａが発光装置として用いられる。第２実施形態によれば、シンプルな回路構成で、隣り合う複数の発光サイリスタＬを共に点灯させる低解像度モードと、隣り合う発光サイリスタＬを別々に点灯させる高解像度モードとが両方とも実現される。
【００７１】
また、第２実施形態によれば、低解像度モードでは、図１２に示す期間Ｃ３において隣り合う２個の発光サイリスタＬが共に点灯される。これにより、低解像度モードで画像を形成する場合には、高解像度モードに比べて画像の形成速度が速くなる。他方、高解像度モードでは、図１３に示す期間Ｃ４において隣り合う発光サイリスタＬが別々に点灯される。これにより、高解像度モードで画像を形成する場合には、低解像度モードよりも高い解像度で画像が形成される。
【００７２】
３．変形例
上述した実施形態は、本発明の一例であり、本発明はこの実施形態に限定されない。上述した実施形態を以下のように変形して実施してもよい。また、以下の変形例を組み合わせて実施してもよい。
【００７３】
（１）変形例１
上述した第１実施形態では、共通の点灯信号φＩ１及びφＩ２と、別個のイネーブル信号φＥ１及びφＥ２とが用いられていた。しかし、共通のイネーブル信号φＥ１及びφＥ２と別個の点灯信号φＩ１及びφＩ２とが用いられてもよい。この場合、信号供給回路５２は、図７及び図８に示す点灯信号φＩ１及びφＩ２と同様の波形を有するイネーブル信号φＥ１及びφＥ２を生成する。また、信号供給回路５２は、図７及び図８に示すイネーブル信号φＥ１及びφＥ２と同様の波形を有する点灯信号φＩ及びφ２を生成する。
【００７４】
この変形例では、共通のイネーブル信号φＥ１及びφＥ２を用いているため、図３に示すように、信号供給回路５２には、共通のイネーブル信号φＥ１及びφＥ２を供給するために、発光素子チップ５１の数分の信号線５５が接続されればよい。これにより、プリント基板４１の配線数が少なくなり、プリント基板４１の小型化が図られる。
【００７５】
（２）変形例２
上述した第１実施形態では、プリント基板４１Ａ上で各信号線５５が２本に分岐されていた。しかし、プリント基板４１Ａ上では信号線５５を分岐せず、各発光素子チップ５１において信号線５５を２本に分岐してもよい。
【００７６】
（３）変形例３
上述した第１実施形態で説明した発光素子チップ５１の回路構成は、あくまで例示であり、本発明はこれに限定されない。例えば、発光サイリスタＬを点灯可能な状態にするスイッチは、転送サイリスタＴ以外の素子（例えばトランジスタ）により構成されてもよい。第２実施形態で説明した発光素子チップ５１Ａの回路構成についても同様である。
また、上述した第１実施形態において、１個の転送サイリスタＴに接続される発光サイリスタＬの数は、２個に限定されない。例えば、低解像度モードにおいて、３個以上の発光サイリスタＬを共に点灯させる場合には、各々の転送サイリスタＴに３個以上の発光サイリスタＬを接続してもよい。
【００７７】
（４）変形例４
上述した第１実施形態で説明したプリント基板４１の構成は、あくまで例示であり、本発明はこれに限定されない。例えば、プリント基板４１上の発光素子チップ５１の数を増やしてもよい。また、発光素子チップ５１は、千鳥状に並べて配置されていてもよい。第２実施形態で説明したプリント基板４１Ａの構成についても同様である。
【００７８】
（５）変形例５
上述した第１実施形態で説明した画像形成装置１の構成は、あくまで例示であり、本発明はこれに限定されない。例えば、画像形成装置１は、高解像度モード及び低解像度モードにおいて、６００ｄｐｉ及び１２００ｄｐｉ以外の解像度で画像を形成してもよい。また、画像形成装置１は、白黒ーの画像を形成するカラープリンタであってもよい。また、画像形成装置１は、コピー機能やファクシミリ機能を有していてもよい。
【符号の説明】
【００７９】
１…画像形成装置、２３…二次転写ローラ、２４…定着器、３１…感光体ドラム、３２…帯電器、３３…露光装置、３４…現像器、３５…一次転写ローラ、５２…信号供給回路、５１…発光素子チップ、Ｔ…転送サイリスタ、Ｌ…発光サイリスタ、６１…第１点灯制御回路、６２…第２点灯制御回路
【図１】
2014012384.tif 000003
【図２】
2014012384.tif 000004
【図３】
2014012384.tif 000005
【図４】
2014012384.tif 000006
【図５】
2014012384.tif 000007
【図６】
2014012384.tif 000008
【図７】
2014012384.tif 000009
【図８】
2014012384.tif 000010
【図９】
2014012384.tif 000011
【図１０】
2014012384.tif 000012
【図１１】
2014012384.tif 000013
【図１２】
2014012384.tif 000014
【図１３】
2014012384.tif 000015